(57)【特許請求の範囲】
【請求項１】
電線端末の端子が収容されたメスコネクタハウジングからなるメスコネクタと、
メスコネクタハウジングの端子と接続される電線端末の相手端子が収容され前記メスコネクタと嵌合して端子を接続するオスコネクタハウジングからなるオスコネクタと、
前記メスコネクタが装着されると共にオスコネクタが挿入されるフードと、
このフードに回動自在に組み付けられ回動動作によりメスコネクタとオスコネクタ間に嵌合力及び離脱力を作用させるレバーとを備えたレバー嵌合式コネクタであって、
前記オスコネクタにはレバー引き込みボスが設けられ、前記レバーにはレバーの回動動作により前記レバー引き込みボスが引き込まれるボス引き込み溝が設けられ、
前記ボス引き込み溝は、前記レバーの回動初期位置状態で前記オスコネクタのフード内の挿入により前記レバー引き込みボスが前記レバーをオスコネクタとメスコネクタに嵌合させる嵌合回動方向と逆方向へ回動させるレバー逆転溝部と、
前記レバーの嵌合回動方向への回動動作で前記レバー引き込みボスを案内してオスコネクタとメスコネクタとを嵌合させる引き込み溝部と、
前記レバー逆転溝部と引き込み溝部との間に設けられて前記レバーが逆方向へ回動した後の自身の慣性力で嵌合回動方向へ回動し、レバー引き込みボスを前記引き込み溝部へ移動させるレバー慣性回動部とからなり、
前記フードの内壁には、前記レバーを回動初期位置に係止可能な可撓性のレバー仮係止アームが設けられ、
前記レバーには、前記レバー仮係止アームに仮係止してレバーを回動初期位置に保持するレバー仮係止保持部が設けられ、
前記オスコネクタには、前記レバーの回動初期位置状態でオスコネクタのフード内への挿入により前記レバー仮係止アームを撓ませてレバー仮係止保持部との仮係止状態を解除するレバー仮係止解除突起が設けられ、
前記レバーの回動初期位置状態でオスコネクタのフード内への挿入によりレバー仮係止アームとレバー仮係止保持部との仮係止状態が解除されると前記レバー引き込みボスが前記レバー慣性回動部に位置することを特徴とするレバー嵌合式コネクタ。
【請求項２】
請求項１記載のレバー嵌合式コネクタであって、
前記レバーは、外周面に回動支軸がそれぞれ突設された一対のアームプレートと、これらのアームプレート間を連結すると共に前記フードに回動自在に支持された状態で回動操作を行う操作部とで形成され、
前記一対のアームプレートの内壁側に前記ボス引き込み溝が設けられ、
前記レバー逆転溝部は、前記オスコネクタのレバー引き込みボスが挿入される引き込み口と、該引き込み口から挿入されたレバー引き込みボスが当接し、前記オスコネクタのメスコネクタへの嵌合方向に沿って下り傾斜の傾斜壁とを備えていることを特徴とするレバー嵌合式コネクタ。
【請求項３】
請求項２記載のレバー嵌合式コネクタであって、
前記フードにはレバーロック係止部が設けられ、前記レバーの操作部にはオスコネクタとメスコネクタの嵌合完了時にレバーロック係止部に係止するレバーロックが設けられていることを特徴とするレバー嵌合式コネクタ。
【発明の詳細な説明】
【技術分野】
【０００１】
本発明は、レバーの回動操作によってメスコネクタとオスコネクタとを嵌合させることが可能なレバー嵌合式コネクタに関する。
【背景技術】
【０００２】
図２８は、特許文献１に記載された従来のレバー嵌合式コネクタ１００を示す。レバー嵌合式コネクタ１００はメスコネクタ１１０を有するコネクタ本体１２０と、メスコネクタ１１０に嵌合する相手コネクタとしてのオスコネクタ１３０と、回動操作によってオスコネクタ１３０をメスコネクタ１１０に嵌合させるレバー１４０とを備えている。
【０００３】
メスコネクタ１１０は端子１１１を収容したメスコネクタハウジング１１２を有し、このメスコネクタハウジング１１２の左右の外壁に回転支軸１１３が突設されている。回転支軸１１３はレバー１４０の回動中心となるものである。
【０００４】
相手コネクタとしてのオスコネクタ１３０は、メスコネクタハウジング１１２に嵌合されるオスコネクタハウジング１３１を有している。オスコネクタハウジング１３１にはメスコネクタハウジング１１２の端子１１１に接続される相手端子１３２が収容されている。オスコネクタハウジング１３１の左右の外壁にはボス１３３が突設されており、ボス１３３がレバー１４０に係合するようになっている。
【０００５】
レバー１４０は左右一対のアームプレート１４１と、左右一対のアームプレート１４１を一側で連結する操作部１４２とが一体に形成されている。左右一対のアームプレート１４１にはオスコネクタ１３０のボス１３３が挿入されるカム溝１４３が形成されている。又、左右一対のアームプレート１４１には、メスコネクタ１１０の回転支軸１１３が挿入される支持孔１４４が形成されている。
【０００６】
このようなレバー嵌合式コネクタ１００は、メスコネクタ１１０の回転支軸１１３をレバー１４０の支持孔１４４に挿入することによりレバー１４０をメスコネクタ１１０に取り付ける。この取り付け状態でレバー１４０のカム溝１４３にボス１３３を挿入することによりオスコネクタ１３０をレバー１４０に連結し、操作部１４２を操作してレバー１４０を回動する。レバー１４０の回動によりボス１３３がカム溝１４３に沿って移動するため、オスコネクタハウジング１３１をメスコネクタハウジング１１２に嵌合させることができる。
【先行技術文献】
【特許文献】
【０００７】
【特許文献１】特開２００９−９９４６９号公報
【発明の概要】
【発明が解決しようとする課題】
【０００８】
しかしながら、従来のレバー嵌合式コネクタ１００においては、レバー１４０を操作するときにレバー１４０が空転する。このような空転が発生すると、空転した分、レバー１４０を回動させる必要があるため、無駄な操作力が必要となる問題がある。又、レバー１４０の空転によってレバー１４０への操作領域が減少するため、レバー１４０の操作性が低下する問題も有している。
【０００９】
そこで、本発明はレバーの空転を防止してレバーへの操作力を低減することができ、しかもレバーへの操作性を向上させることが可能なレバー嵌合式コネクタを提供することを目的とする。
【課題を解決するための手段】
【００１０】
請求項１記載の発明は、電線端末の端子が収容されたメスコネクタハウジングからなるメスコネクタと、メスコネクタハウジングの端子と接続される電線端末の相手端子が収容され前記メスコネクタと嵌合して端子を接続するオスコネクタハウジングからなるオスコネクタと、前記メスコネクタが装着されると共にオスコネクタが挿入されるフードと、このフードに回動自在に組み付けられ回動動作によりメスコネクタとオスコネクタ間に嵌合力及び離脱力を作用させるレバーとを備えたレバー嵌合式コネクタであって、前記オスコネクタにはレバー引き込みボスが設けられ、前記レバーにはレバーの回動動作により前記レバー引き込みボスが引き込まれるボス引き込み溝が設けられ、前記ボス引き込み溝は、前記レバーの回動初期位置状態で前記オスコネクタのフード内の挿入により前記レバー引き込みボスが前記レバーをオスコネクタとメスコネクタに嵌合させる嵌合回動方向と逆方向へ回動させるレバー逆転溝部と、前記レバーの嵌合回動方向への回動動作で前記レバー引き込みボスを案内してオスコネクタとメスコネクタとを嵌合させる引き込み溝部と、前記レバー逆転溝部と引き込み溝部との間に設けられて前記レバーが逆方向へ回動した後の自身の慣性力で嵌合回動方向へ回動し、レバー引き込みボスを前記引き込み溝部へ移動させるレバー慣性回動部とからなり、前記フードの内壁には、前記レバーを回動初期位置に係止可能な可撓性のレバー仮係止アームが設けられ、前記レバーには、前記レバー仮係止アームに仮係止してレバーを回動初期位置に保持するレバー仮係止保持部が設けられ、前記オスコネクタには、前記レバーの回動初期位置状態でオスコネクタのフード内への挿入により前記レバー仮係止アームを撓ませてレバー仮係止保持部との仮係止状態を解除するレバー仮係止解除突起が設けられ、前記レバーの回動初期位置状態でオスコネクタのフード内への挿入によりレバー仮係止アームとレバー仮係止保持部との仮係止状態が解除されると前記レバー引き込みボスが前記レバー慣性回動部に位置することを特徴とする。
【００１２】
請求項２記載の発明は、請求項１記載のレバー嵌合式コネクタであって、前記レバーは、外周面に回動支軸がそれぞれ突設された一対のアームプレートと、これらのアームプレート間を連結すると共に前記フードに回動自在に支持された状態で回動操作を行う操作部とで形成され、前記一対のアームプレートの内壁側に前記ボス引き込み溝が設けられ、前記レバー逆転溝部は、前記オスコネクタのレバー引き込みボスが挿入される引き込み口と、該引き込み口から挿入されたレバー引き込みボスが当接し、前記オスコネクタの前記メスコネクタへの嵌合方向に沿って下り傾斜の傾斜壁とを備えていることを特徴とする。
【００１３】
請求項３記載の発明は、請求項２記載のレバー嵌合式コネクタであって、前記フードにはレバーロック係止部が設けられ、前記レバーの操作部にはオスコネクタとメスコネクタの嵌合完了時にレバーロック係止部に係止するレバーロックが設けられていることを特徴とする。
【発明の効果】
【００１４】
請求項１記載の発明によれば、オスコネクタをフードに挿入することにより、オスコネクタのレバー引き込みボスがレバーのボス引き込み溝に引き込まれてレバーが嵌合回動方向との反対方向に回動する。このためレバーを操作する際のレバーの空転（ロス回転）が減り、レバー引き込みボスをボス引き込み溝に早期に引き込むことができる。これによりオスコネクタのフードへの挿入力を低減することができ、オスコネクタをメスコネクタに勘合させる際のレバーの操作力を低減することができる。
【００１５】
又、オスコネクタの押し込みによってレバー引き込みボスとボス引き込み溝のレバー慣性回動部とが接触し、慣性力によってレバーが嵌合回動方向に回動する。この回動によりレバーへの操作領域が増えるため、レバーへの操作性が向上する。
【００１６】
さらに、レバーの回動初期位置状態でオスコネクタのフード内への挿入によりレバー仮係止アームとレバー仮係止保持部との仮係止状態が解除され、この解除によってレバー引き込みボスがレバー慣性回動部に位置するため、慣性によるレバーの嵌合回動方向への回動を確実に行うことができる。
【００１７】
請求項２記載の発明によれば、レバー逆転溝部がオスコネクタのレバー引き込みボスが挿入される引き込み口と、該引き込み口から挿入されたレバー引き込みボスが当接し、オスコネクタのメスコネクタへの嵌合方向に沿って下り傾斜の傾斜壁とを備えているため、レバーを確実に嵌合回動方向との逆方向に回動させることができる。
【００１８】
請求項３記載の発明によれば、レバーロック係止部をフードに設け、このレバーロック係止部に係止するレバーロックをレバーに設けているため、オスコネクタのメスコネクタとの嵌合状態を確実にロックすることができる。
【図面の簡単な説明】
【００１９】
【図１】本発明の一実施形態のレバー嵌合式コネクタを示す斜視図である。
【図２】レバー嵌合式コネクタを示す分解斜視図である。
【図３】レバー嵌合式コネクタを示す側面図である。
【図４】図３におけるＡ−Ａ線断面図である。
【図５】オスコネクタのフードへの挿入を示す正面図である。
【図６】ボス引き込み溝を示す断面図である。
【図７】本発明の一実施形態における嵌合案内手段を示す断面図である。
【図８】嵌合案内手段を示す拡大正面図である。
【図９】案内リブを示す斜視図である。
【図１０】案内リブを示す正面図である。
【図１１】リブ案内溝を示す斜視図である。
【図１２】リブ案内溝を示す正面図である。
【図１３】レバー倒れ防止壁の形成箇所を示すための側面図である。
【図１４】図１３におけるＥ−Ｅ線断面図である。
【図１５】図１３におけるＦ−Ｆ線断面図である。
【図１６】図１５におけるＪ部拡大断面図である。
【図１７】図１３におけるＧ−Ｇ線断面図である。
【図１８】逆転防止部を示す断面図である。
【図１９】別の逆転防止部を示す側面図である。
【図２０】（Ａ）、（Ｂ）はオスコネクタの挿入当初を示す側面図及び断面図である。
【図２１】（Ａ）、（Ｂ）は図２０に続いたオスコネクタの挿入を示す側面図及び断面図である。
【図２２】（Ａ）、（Ｂ）は図２１に続いたオスコネクタの挿入を示す側面図及び断面図である。
【図２３】（Ａ）、（Ｂ）はオスコネクタの挿入によって仮係止が解除した状態を示す側面図及び断面図である。
【図２４】（Ａ）、（Ｂ）は慣性力によってレバーが回転する状態を示す側面図及び断面図である。
【図２５】（Ａ）、（Ｂ）はレバーへの回動操作を示す側面図及び断面図である。
【図２６】（Ａ）、（Ｂ）は図２５に続く状態を示す側面図及び断面図である。
【図２７】（Ａ）、（Ｂ）はオスコネクタの嵌合状態を示す側面図及び断面図である。
【図２８】従来のレバー嵌合式コネクタの分解斜視図である。
【発明を実施するための形態】
【００２０】
以下、図１〜図２７に示す実施形態により本発明を具体的に説明する。図１は本発明の一実施形態のレバー嵌合式コネクタ１の斜視図、図２は分解斜視図、図３はフードの正面図、図４は図３のＡ−Ａ線断面図、図５は嵌合状態の側面図、図６はボス引き込み溝の断面図である。
【００２１】
レバー嵌合式コネクタ１は、メスコネクタ２と、オスコネクタ３と、フード５と、レバー７とを備えている。
【００２２】
図２に示すようにメスコネクタ２は、複数（２つ）のメスコネクタハウジング２１と、それぞれのメスコネクタハウジング２１に対応して設けられるスペーサ２２とを備えている。それぞれのメスコネクタハウジング２１は、矩形ボックス状に形成されており、図４に示すように、その内部には複数の端子収容室２３が区画されて形成されている。それぞれの端子収容室２３には、電線端末に接続された端子２４が収容される。複数のコネクタハウジング２１は組み付けられた状態でフード５に装着される。
【００２３】
オスコネクタ３は図２に示すように、複数（２つ）のオスコネクタハウジング３１、３１ａと、それぞれのオスコネクタハウジング３１、３１ａに対応して設けられるスペーサ３２とを有している。それぞれのオスコネクタハウジング３１、３１ａは、メスコネクタハウジング２１と同様に矩形ボックス状に形成されている。又、それぞれのオスコネクタハウジング３１、３１ａにはメスコネクタハウジング２１の端子収容室２３に対応した複数の端子収容室３３が形成されており、それぞれの端子収容室３３にはメスコネクタハウジング２１の端子２１と接続される相手端子３４が収容されている（図４参照）。
【００２４】
複数のオスコネクタハウジング３１、３１ａは高さ方向に沿って組み付けられて使用される。複数のオスコネクタハウジング３１、３１ａが組み付けられたオスコネクタ３には、レバー引き込みボス３５と、レバー仮係止解除突起３６と、リブ案内溝３７（図１１参照）とが形成されている。
【００２５】
レバー引き込みボス３５はレバー７に係合することにより、レバー７への回動操作によってオスコネクタ３をフード５内に引き込んでオスコネクタ３をメスコネクタ２に嵌合させるものである。レバー引き込みボス３５は他方（図１における下方、図２における右方）のオスコネクタハウジング３１の外面に形成されており、複数のオスコネクタハウジング３１、３１ａを高さ方向に組み付けたとき、複数のオスコネクタハウジング３１、３１ａの境界部分に位置する。レバー引き込みボス３５は円形軸状に形成されている。
【００２６】
レバー仮係止解除突起３６は、一方（図１における上方、図２の左方）のオスコネクタハウジング３１ａの外面から突出して設けられている。又、レバー仮係止解除突起３６は、オスコネクタハウジング３１ａの外面におけるフード５側に位置するように設けられている。レバー仮係止解除突起３６はオスコネクタ３をフード５に挿入したときに後述するようにフード５のレバー仮係止アーム５５を撓ませることによりフード５とレバー７との仮係止状態を解除するものである。これらレバー仮係止解除突起３６及びレバー引き込みボス３５の動作については、図２０〜図２７により後述する。
【００２７】
リブ案内溝３７は一方（図１における上方、図２における左方）のオスコネクタハウジング３１ａに形成されている。リブ案内溝３７はオスコネクタ３の嵌合方向であるオスコネクタハウジング３１ａの長さ方向に沿って延びた状態（図１１参照）で同ハウジング３１ａの端部（図１における上部）の両側に設けられている（図１参照）。リブ案内溝３７の構造及び動作については、図１１により後述する。
【００２８】
なお、一方のオスコネクタハウジング３１ａにおける頂壁部にはガイド凸部３８が形成されている（図１参照）。ガイド凸部３８はオスコネクタ３をフード５に嵌合させる際にフード５の内面を摺動してオスコネクタ３の嵌合を案内するものである。
【００２９】
フード５は、メスコネクタ２が装着されると共にオスコネクタ３が挿入されるものであり、つば状板部５１と、一対の支持壁部５２と、連結覆い部５３とを有している。
【００３０】
つば状板部５１は長円形の板状に形成されており、オスコネクタ３が嵌合される側と反対側に位置している。つば状板部５１にはメスコネクタ２が装着される。このためつば状板部５１には、メスコネクタ２を装着するための装着用開口部５１ａ（図４参照）が形成されている。
【００３１】
一対の支持壁部５２は、つば状板部５１の一面側（オスコネクタ３側の面）からオスコネクタ３方向に突設されている。一対の支持壁部５２は、レバー７が回動可能に取り付けられ、レバー７の回動を支持する。
【００３２】
連結覆い部５３は一対の支持壁部５２を連結するものである。この実施形態において、連結覆い部５３は一対の支持壁部５２の一側の端部（図１における上側の端部、図２における左側の端部）を連結するものである。連結覆い部５３は円弧状となってつば状板部５１の一面側（オスコネクタ３側の面）からオスコネクタ３方向に延びており、フード５に嵌合されるオスコネクタ３を覆うようになっている。
【００３３】
つば状板部５１にはレバー倒れ防止壁５４が形成されている。レバー倒れ防止壁５４は図１４〜図１７に示すように、一対の支持壁部５２のそれぞれと同じ方向に突設するように設けられている。レバー倒れ防止壁５４はレバー７の内側への倒れを防止するものであり、その構造及び動作については図１３〜図１７により後述する。
【００３４】
一対の支持壁部５２にはレバー仮係止アーム５５と、レバーロック係止部５６と、回転支軸支持孔５７とが設けられている。
【００３５】
レバー仮係止アーム５５はレバー７のレバー仮係止保持部７４（図４参照）に仮係止するものであり、それぞれの支持壁部５２の内壁から片持ち状となってレバー７の方向に立ち上がるように形成されており（図４参照）、撓み可能な弾性を有している。レバー仮係止アーム５５はオスコネクタ３をフード５に挿入した当初においてレバー７を回動初期位置に係止するものである。レバー仮係止アーム５５の動作については図２０〜図２７により後述する。
【００３６】
レバーロック係止部５６はそれぞれの支持壁部５２の下部に設けられており（図５参照）、レバー７を回動操作したときにレバー７が係止する。この係止によりレバー７の回動がロックされる。
【００３７】
回転支軸支持孔５７はレバー７の回動支軸７３（図２参照）が回転可能に挿入されることによりレバー７の回動を支持するものであり、一対の支持壁部５２を厚さ方向に貫通するように形成されている。
【００３８】
フード５の連結覆い部５３には、オスコネクタ３に形成されているリブ案内溝３７に対応した案内リブ５８が形成されている。図１及び図９に示すように、案内リブ５８は連結覆い部５３におけるオスコネクタ３の嵌合側（連結覆い部５３の内側）に設けられている。又、案内リブ５８は、オスコネクタ３の嵌合方向に延びるように連結覆い部５３に形成されている。この案内リブ５８及び上述したオスコネクタ３のリブ案内溝３７はオスコネクタ３をメスコネクタ２に対して正規の嵌合方向に導く嵌合案内手段９を構成する（図７参照）。
【００３９】
レバー７はオスコネクタ３をメスコネクタ２に嵌合させるために回動操作されるものである。このレバー７はフード５に回動自在に組み付けられ、回動動作によってオスコネクタ３とメスコネクタ２との間に嵌合力及び離脱力を作用させる。図１及び図２に示すように、レバー７は左右一対のアームプレート７１と、アームプレート７１を連結する操作部７２とによって形成されている。
【００４０】
一対のアームプレート７１はフード５の一対の支持壁部５２にそれぞれ回動可能に支持されるものであり、それぞれのアームプレート７１の外面には回動支軸７３が突設されている。この回動支軸７３を一対の支持壁部５２の回動支軸支持孔５７に挿入することにより一対のアームプレート７１（すなわちレバー７）が一対の支持壁部５２に回動可能に支持される。
【００４１】
一対のアームプレート７１には、さらにレバー仮係止保持部７４及びボス引き込み溝８０が設けられている。
【００４２】
レバー仮係止保持部７４はフード５の支持壁部５２に形成されたレバー仮係止アーム５５が係止するものであり、レバー仮係止アーム５５が仮係止することによりレバー７が回動初期位置に保持される。これについては、図２０〜図２７により後述する。
【００４３】
ボス引き込み溝８０は、オスコネクタ３の外面から突出しているレバー引き込みボス３５（図１、図２参照）が引き込まれるカム状の溝である。図２に示すようにボス引き込み溝８０は、一対のアームプレート７１の内壁側におけるオスコネクタ３の嵌合側に位置するように設けられている。図６はボス引き込み溝８０を示し、レバー逆転溝部８２と、レバー逆転溝部８２に連続した引き込み溝部８３とを備え、上方に向かって屈曲する略「く」字形に形成されている。
【００４４】
レバー逆転溝部８２はレバー引き込みボス３５が引き込まれるように開口した引き込み口８１と、引き込み口８１に連続した傾斜壁８５とを有している。レバー逆転溝部８２はオスコネクタ３がフード５に挿入されたレバー７の回動初期位置状態のとき、オスコネクタ３のレバー引き込みボス３５が引き込まれる。この引き込みによりレバー逆転溝部８２はオスコネクタ３をメスコネクタ２に嵌合させる嵌合回動方向と反対方向にレバー７を回動させる。傾斜壁８５はオスコネクタ３のメスコネクタ２への嵌合方向に沿って下り傾斜となっており、引き込み口８１からレバー引き込みボス３５が引き込まれるとレバー引き込みボス３５が当接する。この当接によって上述した嵌合回動方向と反対方向へのレバー７の回動が行われる。
【００４５】
引き込み溝部８３はレバー逆転溝部８２に対し、上方に屈曲した状態となって連続している。引き込み溝部８３はレバー７を嵌合回動方向に回動操作することによりレバー引き込みボス３５が引き込まれる。これにより引き込み溝部８３はレバー引き込みボス３５を案内してオスコネクタ３をメスコネクタ２に嵌合させる。レバー７の嵌合回動方向への回動操作は、レバー逆転溝部８２によって嵌合回動方向との反対方向に回動した後に行われる。
【００４６】
レバー逆転溝部８２と引き込み溝部８３との間には、レバー慣性回動部８４が形成されている。レバー慣性回動部８４はレバー７が嵌合回動方向へ逆方向へ回動した後に行われるレバー自身の慣性力でレバー７が嵌合回動方向へ回動する部分であり、これによりレバー引き込みボス３５を引き込み溝部８３に案内する。かかるレバー慣性回動部８４にレバー引き込みボス３５が位置する場合においては、フード５の仮係止アーム５５とレバー７のレバー仮係止保持部７４との仮係止が解除された状態となっている。なお、この仮係止の解除はオスコネクタ３をフード５に挿入することにより行われる。
【００４７】
レバー７の操作部７２にはレバーロック７５が設けられている（図５参照）。レバーロック７５は操作部７２に設けられることによりフード５のレバーロック係止部５６と対応している。そして、レバーロック７５がレバーロック係止部５６に係止することによりレバー７の回動がロックされ、メスコネクタ２へのオスコネクタ３の嵌合状態がロックされる。
【００４８】
次に、オスコネクタ３のメスコネクタ２への嵌合動作を図６、図２０〜図２７により説明する。図２０〜図２７における（Ａ）は図５に対応した図、（Ｂ）は図３のＡ−Ａ線に対応した図である。
【００４９】
図２０はオスコネクタ３をフード５に挿入当初を示し、レバー７のレバー仮係止保持部７４がフード５のレバー仮係止アーム５５に保持された仮係止状態となっている。
【００５０】
オスコネクタ３をフード５に挿入させると、図２１に示すようにオスコネクタ３のレバー引き込みボス３５がレバー７のボス引き込み溝８０に引き込まれる。引き込まれたレバー引き込みボス３５は、レバー逆転溝部８２の傾斜壁８５に当接する（図６における符号３５Ａの位置）。この当接においては、レバー引き込みボス３５はレバー逆転溝部８２に位置しており、レバー７は回動支軸７３を中心にオスコネクタ３をメスコネクタ２に嵌合させる嵌合回動方向と逆方向に回動する。図２１における矢印Ｌはこの嵌合回動方向の逆方向を示す。
【００５１】
オスコネクタ３の挿入をさらに継続することにより、レバー引き込みボス３５は図２２で示すようにレバー逆転溝部８２の終端まで移動し、この移動の間、レバー７は嵌合回動方向の逆方向（Ｌ方向）に回動する。この間、レバー７のレバー仮係止保持部７４がフード５のレバー仮係止アーム５５から徐々に離れた仮係止解除待機状態となる。
【００５２】
図２３は、これに続いてオスコネクタ３をフード５に押し込んだ状態を示す。オスコネクタ３の押し込みにより、オスコネクタ３のレバー仮係止解除突起３６がフード５のレバー仮係止アーム５５に当接して、レバー仮係止アーム５５をレバー７のレバー仮係止保持部７４から離れるように撓ませる。これによりレバー７の仮係止が解除される。この仮係止の解除により、レバー７への回動操作が可能となる。
【００５３】
このとき、オスコネクタ３のレバー引き込みボス３５はボス引き込み溝８０におけるレバー慣性回動部８４に達している（図６における符号３５Ｂの位置）。そして、レバー７の仮係止解除のレバー自身の慣性力により、レバー７は図２４に示すように矢印Ｌとの反対方向である嵌合回動方向に回動する。
【００５４】
図２５は図２４の状態からレバー７を嵌合回動方向へ回動させる状態を示す。レバー引き込みボス３５がレバー慣性回動部８４に達することにより、レバー７が慣性力によって嵌合回動方向に回動しているため、レバー７への操作領域７６が図２３における操作領域（慣性による嵌合回動方向への回動以前の領域）７６ａよりも増えている。このため、レバー７への操作性が向上する。
【００５５】
図２５においては、レバー７の操作部７２を指８によって矢印Ｍ方向に押圧操作する。この方向Ｍへの押圧操作によりレバー７は、回動支軸７３を中心に嵌合回動方向に回動する。このレバー７への操作により、オスコネクタ３のレバー引き込みボス３５はボス引き込み溝８０における引き込み溝部８３に引き込まれる（図６における符号３５Ｃの位置）。そして、さらにレバー７を押圧して嵌合回動方向の終端部にまで回動させることによりレバーロック７５がフード５のレバーロック係止部５６に係止して回動が停止すると共に、オスコネクタ３がメスコネクタ２に嵌合し、この嵌合状態がロックされる。このとき、レバー引き込みボス３５は引き込み溝部８３の終端部に達する。
【００５６】
このような構造では、オスコネクタ３をフード５に挿入することによりレバー７が嵌合回動方向との反対方向に回動するため、レバー７を操作する際のレバー７の空転（ロス回転）が減り、レバー引き込みボス３５をボス引き込み溝８０に早期に引き込むことができる。このため、メスコネクタ２との嵌合を行うためのオスコネクタ３のフード５への挿入力を低減することができ、レバー７への操作力を低減することができる。
【００５７】
又、オスコネクタ３の押し込みによってレバー引き込みボス３５とボス引き込み溝８０のレバー慣性回動部８４とが接触し、慣性力によってレバー７が嵌合回動方向に回動する。このためレバー７への操作領域が増え、レバー７への操作性が向上する。
【００５８】
又、オスコネクタ３の挿入当初においては、レバー７を回動操作してもレバー引き込みボス３５がボス引き込み溝８０に引き込まれていないため、オスコネクタ３を押し出すことができる。これにより、異常を目視によって確認することができる。
【００５９】
上述したオスコネクタ３のメスコネクタ２への嵌合に対し、この実施形態では嵌合案内手段９が設けられている（図７参照）。嵌合案内手段９は上述したように、案内リブ５８及びリブ案内溝３７によって形成されている。
【００６０】
図１に示すように、案内リブ５８はフード５の連結覆い部５３の内壁に一対が形成され、リブ案内溝３７は図１及び図１１に示すように、一方のオスコネクタハウジング３１ａの左右の両側壁に一対が形成されている。これらの案内リブ５８及びリブ案内溝３７は、図７に示すように回動支軸７３（回動支軸支持孔５７）を間にして操作部７２の反対側に設けられている。
【００６１】
又、これらの案内リブ５８及びリブ案内溝３７はオスコネクタ３の嵌合方向に沿って延びており、オスコネクタ３のメスコネクタ２への嵌合の際に、フード案内リブ５８がリブ案内溝３７に挿入される。そして、案内リブ５８がリブ案内溝３７に挿入された状態でオスコネクタ３が嵌合方向に移動するが、この移動の際には、案内リブ５８がリブ案内溝３７に対して相対的に摺動する。これにより案内リブ５８及びリブ案内溝３７はオスコネクタ３をメスコネクタ２に対して正規嵌合方向に導く。
【００６２】
図１２に示すようにリブ案内溝３７は、断面がアリ溝形状に形成されるものである。すなわち、リブ案内溝３７は先端部分３７ａが広く、根元部分３７ｂが狭くなった形状に形成されるものである。これに対し案内リブ５８は図１０に示すように、リブ案内溝３７の断面形状に倣った形成されるものである。これにより案内リブ５８はリブ案内溝３７から外れることなくリブ案内溝３７に挿入される。従って、レバー７の操作時に抜き方向への力（図８の矢印Ｄ方向へ力）が作用しても案内リブ５８がリブ案内溝３７から外れることがなく、オスコネクタ３をフード５に安定した取り付け状態とすることができる。
【００６３】
オスコネクタ３をメスコネクタ２に嵌合させるため、フード５を図７に示す矢印Ｂ方向に回動操作すると、オスコネクタ３のレバー引き込みボス３５がレバー７のボス引き込み溝８０に引き込まれているため、オスコネクタ３（コネクタハウジング３１ａ）に対し矢印Ｃ方向へ傾く力が作用する。しかしながら、フード５の案内リブ５８がオスコネクタ３のリブ案内溝３７に挿入され、この挿入状態でこれらが相互に摺動するため、コネクタ３（コネクタハウジング３１ａ）が傾くことを防止することができる。このためオスコネクタ３を小さな挿入力でフード５に挿入することができる。
【００６４】
又、フード５の案内リブ５８がオスコネクタ３のリブ案内溝３７に挿入されて相互に係合しているため、フード５がオスコネクタ３に支持された状態となり、レバー７を操作する際にフード５が開くことがなく、オスコネクタ３を円滑にフード５に挿入することができる。
【００６５】
又、案内リブ５８がリブ案内溝３７に挿入された状態でオスコネクタ３が嵌合方向に移動するため、嵌合時のど突きを防止することができる。
【００６６】
なお、この実施形態では、リブ案内溝３７をオスコネクタ３に形成し、案内リブ５８をフード５に形成しているが、リブ案内溝３７をフード５に形成し、案内リブ５８をオスコネクタ３に形成しても良い。
【００６７】
次に、レバー倒れ防止壁５４について説明する。上述したように、レバー倒れ防止壁５４はフード５の一対の支持壁部５２と同じ方向に延びるようにフード５のつば状板部５１に形成される。
【００６８】
図１４は図１３におけるＥ−Ｅ線断面図、図１５はＦ−Ｆ線断面図、図１７はＧ−Ｇ線断面図であり、図１６は図１５のＪ部拡大断面図である。レバー７の操作部７２側及びレバー引き込みボス３５側においては、図１４及び図１５に示すようにレバー倒れ防止壁５４は、フード５の支持壁部５２と略平行となってフード５のつば状板部５１から直接に立ち上がっている。このレバー倒れ防止壁５４はレバー７の一対のアームプレート７１に対し、その内側に位置しており、アームプレート７１を内側から支持している。
【００６９】
一方、フード５の連結覆い部５３側においては、図１７に示すように、レバー倒れ防止壁５４はつば状板部５１から延びている支持壁部５２の先端部に段状に形成されており、支持壁部５２の先端部からさらに同壁部５２の方向に延びている。図１７においても、レバー倒れ防止壁５４はレバー７における一対のアームプレート７１の内側に位置しており、アームプレート７１を内側から支持している。
【００７０】
このようにレバー倒れ防止壁５４は、レバー７の一対のアームプレート７１に対して、複数箇所で同プレート７１を内側から支持するようになっている。このようにレバー倒れ防止壁５４が一対のアームプレート７１を内側から支持することにより、一対のアームプレート７１の内側への倒れを防止することができる。従って、レバー７を回動操作する際にアームプレート７１が内側に倒れることがなく、小さな力でオスコネクタ３をフード５に挿入することができる。又、一対のアームプレート７１がレバー倒れ防止壁５４によって支持された状態となり、この状態でレバー７の回動によりオスコネクタ３が嵌合方向に移動するため、嵌合時のど突きを防止することができる。
【００７１】
図１５及び図１６は、以上のレバー倒れ防止壁５４に加えて、さらにレバー倒れ防止サブ壁５４ａを設けるものである。レバー倒れ防止サブ壁５４ａはフード５の一対の支持壁部５２に一体に形成されており、レバー７の一対のアームプレート７１とオスコネクタ３のレバー引き込みボス３５との間に挿入されている。このレバー倒れ防止サブ壁５４ａはレバー７の一対のアームプレート７１を外側から支持しており、アームプレート７１の外側への倒れを防止するように機能する。従って、レバー引き込みボス３５部分では、レバー倒れ防止壁５４に加えてレバー倒れ防止サブ壁５４ａによってアームプレート７１の内外方向への倒れを防止するようになっている。
【００７２】
図１８及び図１９は、レバー７の逆転防止部１１を設けた構造を示す。回転防止部１１はレバー７が回動動作範囲を超えて嵌合回動方向と逆側に回転することを阻止するものである。
【００７３】
図１８において逆転防止部１１は、フード５におけるレバー７の一対のアームプレート７１との対向部位に設けられている。具体的には、レバー７の一対のアームプレート７１に突出状に形成された凸部７７に対し、この凸部７７と対応したフード５のつば状板部５１にレバー７方向に突出する凸部を形成して逆転防止部１１とするものである。レバー７が嵌合回動方向と逆方向に回転するとき、レバー７の凸部７７がフード５の逆転防止部１１に当接し、この当接によって回動動作範囲を超えたレバー７の逆転を防止することができる。
【００７４】
図１９において逆転防止部１１は、フード５の連結覆い部５３に設けられている。フード５の連結覆い部５３の端面５９はレバー７の一対のアームプレート７１の端面７８と対向しており、この端面５９をアームプレート７１の端面７８よりも肉厚とすることにより逆転防止部１１とするものである。レバー７が嵌合回動方向と逆方向に回転するとき、レバー７の端面７８がフード５の逆転防止部１１（端面５９）に当接し、この当接によって回動動作範囲を超えたレバー７の逆転を防止することができる。
【００７５】
このような逆転防止部１１を設けることにより、レバー７の逆転を防止することができるため、レバー７の回動操作によるオスコネクタ３の嵌合時にレバー７がオスコネクタ３と衝突したり、干渉しないため、オスコネクタ３の嵌合の作業性が向上する。
【符号の説明】
【００７６】
１  レバー嵌合式コネクタ
２  メスコネクタ
３  オスコネクタ
５  フード
７  レバー
９  嵌合案内手段
１１  逆転防止部
２１  メスコネクタハウジング
２４  端子
３１、３１ａ  オスコネクタハウジング
３４  相手端子
３５  レバー引き込みボス
３６  レバー仮係止解除突起
３７  リブ案内溝
５１  つば状板部
５２  支持壁部
５３  連結覆い部
５４  レバー倒れ防止壁
５５  レバー仮係止アーム
５６  レバーロック係止部
５８  案内リブ
７１  アームプレート
７２  操作部
７３  回転支軸
７４  レバー仮係止保持部
７５  レバーロック
８０  ボス引き込み溝
８１  引き込み口
８２  レバー逆転溝部
８３  引き込み溝部
８４  レバー慣性回動部
【図１】
0005723700.tif 000002
【図２】
0005723700.tif 000003
【図３】
0005723700.tif 000004
【図４】
0005723700.tif 000005
【図５】
0005723700.tif 000006
【図６】
0005723700.tif 000007
【図７】
0005723700.tif 000008
【図８】
0005723700.tif 000009
【図９】
0005723700.tif 000010
【図１０】
0005723700.tif 000011
【図１１】
0005723700.tif 000012
【図１２】
0005723700.tif 000013
【図１３】
0005723700.tif 000014
【図１４】
0005723700.tif 000015
【図１５】
0005723700.tif 000016
【図１６】
0005723700.tif 000017
【図１７】
0005723700.tif 000018
【図１８】
0005723700.tif 000019
【図１９】
0005723700.tif 000020
【図２０】
0005723700.tif 000021
【図２１】
0005723700.tif 000022
【図２２】
0005723700.tif 000023
【図２３】
0005723700.tif 000024
【図２４】
0005723700.tif 000025
【図２５】
0005723700.tif 000026
【図２６】
0005723700.tif 000027
【図２７】
0005723700.tif 000028
【図２８】
0005723700.tif 000029